(57)【要約】【課題】過電流保護を行うことが可能な電源装置を提供する。【解決手段】電源装置１は、携帯端末１００と給電端子１１との接続後、携帯端末１００からの指示情報に基づく電圧値の給電電圧を出力する一方、給電電圧の出力に伴い携帯端末１００に給電する給電電流が予め設定された電流値に達する場合には給電電圧の電圧値を低下させて予め設定された電流値からなる電流を給電電流として出力する電源部２０と、携帯端末１００と給電端子１１との接続後、第１の時間が経過するまでの間、電源部２０から出力される給電電圧が第１の電圧値以下の状態が継続した場合に電源部２０の動作を停止する第１の保護部３０と、電源部２０から出力される給電電圧が所期の電圧値に達した後、給電電圧の電圧値が第２の電圧値以下となった場合は第２の時間間隔で電源部２０に指示情報に基づく電圧値の給電電圧を出力させる第２の保護部４０とを備える。【選択図】図１
2018042323.tif 000002
【特許請求の範囲】
【請求項１】
電池が設けられ、前記電池を充電する携帯端末に、前記電池の充電に用いられる電力を給電する電源装置であって、
前記携帯端末が給電端子に接続された後、前記携帯端末と通信を行って、前記携帯端末に給電する給電電圧の指示値を示す指示情報を取得する指示情報取得部と、
前記指示情報に基づく電圧値の給電電圧を出力する一方、前記給電電圧の出力に伴い前記携帯端末に給電する給電電流が予め設定された電流値に達する場合には前記給電電圧の電圧値を低下させて前記予め設定された電流値からなる電流を前記給電電流として出力する電源部と、
前記携帯端末が前記給電端子に接続されてから予め設定された第１の時間が経過するまでの間、前記電源部から出力される給電電圧が予め設定された第１の電圧値以下の状態が継続した場合に前記電源部の動作を停止する第１の保護部と、
前記電源部から出力される給電電圧が所期の電圧値に達した後、前記給電電圧の電圧値が予め設定された第２の電圧値以下となった場合は予め設定された第２の時間間隔で前記電源部に前記指示情報に基づく電圧値の給電電圧を出力させる第２の保護部と、
を備える電源装置。
【請求項２】
前記指示情報取得部は、前記携帯端末が前記給電端子に接続された後、前記携帯端末との通信を所定の周期で継続して行い、
前記電源部は、前記通信により新たな指示情報が取得されるまで、現在の電圧値で前記給電電圧を出力する請求項１に記載の電源装置。
【請求項３】
前記指示情報により示される前記給電電圧の指示値は、前記携帯端末による前記電池の充電効率に応じて設定される請求項１又は２に記載の電源装置。
【発明の詳細な説明】
【技術分野】
【０００１】
本発明は、携帯端末に電力供給を行う電源装置に関する。
【背景技術】
【０００２】
従来、例えばスマートフォン等の携帯端末が広く利用されてきた。このような携帯端末は充電可能な電池が搭載され、当該電池に蓄えられた電力により駆動される。このような電池は携帯端末により充電され、携帯端末には、例えば特許文献１に記載のＡＣアダプタ（本願「電源装置」の一例）を用いて給電される。
【０００３】
特許文献１に記載のＡＣアダプタはコンピュータ（上記「携帯端末」の一例）のバッテリ（上記「電池」に相当）を充電する際に利用される。このＡＣアダプタは、直流出力を出力する出力回路と、コンピュータの電源状態がオフ状態からオン状態となった場合に、出力回路の過電流保護特性を逆Ｌ字特性（アルファベットの「Ｌ」の字を回転したような形状をした特性）からフの字特性（日本語の片仮名の「フ」の字のような形状をした特性）に切り替える切り替え回路とを備えて構成される。
【先行技術文献】
【特許文献】
【０００４】
【特許文献１】特開２０１５−１３５５６４号公報
【発明の概要】
【発明が解決しようとする課題】
【０００５】
特許文献１に記載の技術によれば、電池の充電中に何らかの理由で過電流が流れるような状況になった場合には、フの字特性により過電流保護を行うことが可能である。一方、携帯端末とＡＣアダプタとが異物を噛み込んだ状態（以下「ハーフショート状態」とする）で接続された場合には、数秒レベルで接続部分が赤熱状態となり、発煙や発火等に至ることが知られている。このため、特許文献１に記載の技術のようなフの字特性における定電流特性部分を短くしたり、無くしたりして対応してきた。
【０００６】
ここで、近年、携帯端末は稼働時間を長くすべく、電池の大容量化が進められてきた。一方、このような電池の大容量化に伴い、充電時間を短縮すべく、携帯端末に給電する電圧（本願の「給電電圧」に相当）を変更して充電効率を高めることが検討されてきた。給電電圧の変更を行う方法の一つとして、例えば携帯端末にＡＣアダプタを接続した際に、携帯端末とＡＣアダプタとが通信を行って給電電圧を設定することが考えられる。しかしながら、給電電圧が決定される前に、現在のＡＣアダプタの出力（供給電力）を測定するために定電流特性を使用するので、上述したハーフショート状態での保護との両立が容易ではない。
【０００７】
そこで、携帯端末と電源装置との接続初期段階に、携帯端末と電源装置との通信により携帯端末に電源装置の電力供給能力の確認を行わせつつ、過電流保護を行うことが可能な電源装置が求められる。
【課題を解決するための手段】
【０００８】
本発明に係る電源装置の特徴構成は、電池が設けられ、前記電池を充電する携帯端末に、前記電池の充電に用いられる電力を給電する電源装置であって、前記携帯端末が給電端子に接続された後、前記携帯端末と通信を行って、前記携帯端末に給電する給電電圧の指示値を示す指示情報を取得する指示情報取得部と、前記指示情報に基づく電圧値の給電電圧を出力する一方、前記給電電圧の出力に伴い前記携帯端末に給電する給電電流が予め設定された電流値に達する場合には前記給電電圧の電圧値を低下させて前記予め設定された電流値からなる電流を前記給電電流として出力する電源部と、前記携帯端末が前記給電端子に接続されてから予め設定された第１の時間が経過するまでの間、前記電源部から出力される給電電圧が予め設定された第１の電圧値以下の状態が継続した場合に前記電源部の動作を停止する第１の保護部と、前記電源部から出力される給電電圧が所期の電圧値に達した後、前記給電電圧の電圧値が予め設定された第２の電圧値以下となった場合は予め設定された第２の時間間隔で前記電源部に前記指示情報に基づく電圧値の給電電圧を出力させる第２の保護部と、を備えている点にある。
【０００９】
このような特徴構成とすれば、電源装置が、携帯端末から当該携帯端末に給電する給電電圧の指示値を示す指示情報を取得することができる。また、例えば第１の時間を、携帯端末と電源装置とがハーフショート状態で接続された場合でも発煙や発火が生じない程度の時間に設定しておくことにより、ハーフショートにより電源装置から出力される給電電圧の電圧値が第１の電圧値以下の状態が継続した場合には、発煙や発火が生じる前に、第１の保護部により電源部の動作を停止することができる。また、携帯端末と電源装置とが異物を噛み込まずに接続された状態で電源装置が携帯端末に給電している時に、想定外の給電電圧の低下や過電流が検出された場合には、電源部が第２の時間間隔で指示情報に基づく電圧値の給電電圧を出力するように制御されるので、このような想定外の状態が継続した場合でも発煙や発火が生じることを防止できる。このように本特徴構成によれば、携帯端末に電源装置の電力供給能力の確認を行わせつつ、携帯端末と電源装置との接続初期より、例えばハーフショート保護のような過電流保護を行うことが可能となる。
【００１０】
また、前記指示情報取得部は、前記携帯端末が前記給電端子に接続された後、前記携帯端末との通信を所定の周期で継続して行い、前記電源部は、前記通信により新たな指示情報が取得されるまで、現在の電圧値で前記給電電圧を出力すると好適である。
【００１１】
このような構成とすれば、電源装置の出力特性として、所定の電圧値からなる給電電圧を出力後、所定時間が経過するまで定電流を出力するように構成しておくことで、携帯端末が、電源装置の出力特性を利用し、その時点の給電電圧での最大出力容量の計測及び認識を行うことが可能となる。したがって、携帯端末に、給電電圧の電圧値を変更するか否かを決定させることが可能となる。
【００１２】
また、前記指示情報により示される前記給電電圧の指示値は、前記携帯端末による前記電池の充電効率に応じて設定されると好適である。
【００１３】
このような構成とすれば、携帯端末がリアルタイムで変化する電池の電圧に基づいて充電効率が良いか否かを判定し、この判定結果により指示情報で示される給電電圧の指示値を決定することが可能となる。
【図面の簡単な説明】
【００１４】
【図１】電源装置の構成を模式的に示した図である。
【図２】電源装置の出力特性の一例を示した図である。
【図３】第２の保護部による保護動作を示す図である。
【図４】電源装置の構成の一例を示した回路図である。
【発明を実施するための形態】
【００１５】
本発明に係る電源装置は、電池が設けられ、電池を充電する携帯端末に、電池の充電に用いられる電力を給電するのに利用され、給電電圧が所期の電圧値でない場合でも電源装置や携帯端末から発煙や発火が生じないように保護機能を備えて構成されている。以下、本実施形態の電源装置１について説明する。
【００１６】
図１は、電源装置１の構成を示す模式図である。図１には、電源装置１により給電される携帯端末１００も示される。携帯端末１００には電池１０１が設けられ、電池１０１は携帯端末１００により充電される。携帯端末１００とは、例えばスマートフォン等のように所有者が携帯して使用する端末であり、動力源として電池１０１に蓄電された電力が利用される。電源装置１は、このような携帯端末１００に、電池１０１の充電に用いられる電力を給電する。
【００１７】
電源装置１は、指示情報取得部１０、電源部２０、第１の保護部３０、第２の保護部４０、計数中止部５０の各機能部を備えて構成される。これらの各機能部は、ディスクリート部品や、ＩＣ（Integrated Circuit）や、ＭＰＵ（Micro-processing unit）の少なくとも一つを用いて構成することが可能である。
【００１８】
指示情報取得部１０は、携帯端末１００が給電端子１１に接続された後、携帯端末１００と通信を行って、携帯端末１００に給電する給電電圧の指示値を示す指示情報を取得する。給電端子１１とは、電源装置１に設けられる携帯端末１００への給電時に電力供給に利用される正負一対の端子である。また、電源装置１と携帯端末１００とは通信端子１２でも接続される。指示情報取得部１０は、携帯端末１００が給電端子１１に接続された後、この通信端子１２を介して、携帯端末１００との通信を所定の周期で継続して行う。なお、図１では、理解を容易にするために通信端子１２と給電端子１１とを離間して示しているが、通信端子１２と給電端子１１とが一体的に纏められた公知のＵＳＢ（Universal Serial Bus）規格に基づくＵＳＢコネクタで構成すると好適である。
【００１９】
ここで、携帯端末１００に設けられる電池１０１は、充電電流が一定となる定電流で充電され、その後、充電電圧が一定となる定電圧で充電される。このため、電源装置１は、携帯端末１００がこのような定電流及び定電圧による電池１０１の充電を行うことができるように、図２に示されるような出力特性を有して構成される。指示情報により示される給電電圧の指示値は、携帯端末１００による電池１０１の充電効率に応じて携帯端末１００により設定される。このような給電電圧の電圧値を変更する指示は、携帯端末１００から給電電圧の指示値を示す指示情報として伝達され、指示情報取得部１０により取得される。
【００２０】
図１に戻り、電源部２０は、ＡＣ／ＤＣコンバータ２１、ＤＣ／ＤＣコンバータ２２、給電電圧検出部２３、制御部２５を備えて構成される。ＡＣ／ＤＣコンバータ２１は、電源装置１に入力される交流電圧を直流電圧に変換する。電源装置１に入力される交流電圧は、例えば電力会社から供給される。ＡＣ／ＤＣコンバータ２１及びＤＣ／ＤＣコンバータ２２は、例えば商用トランスを用いたトランス方式や、スイッチング素子を用いたスイッチング方式で構成することが可能である。
【００２１】
ＡＣ／ＤＣコンバータ２１から出力された直流電圧は、交流電圧を全波整流したものである。そこで、ＡＣ／ＤＣコンバータ２１の出力は、図示しない平滑コンデンサにより平滑され、更にＤＣ／ＤＣコンバータ２２により、所定の電圧値からなる直流電圧に変換される。「所定の電圧値からなる直流電圧」とは、指示情報が無い場合には予め設定された値（例えばＵＳＢ充電の場合には、５Ｖ）からなる直流電圧が相当し、指示情報がある場合には指示情報により規定された給電電圧の指示値が相当する。ＤＣ／ＤＣコンバータ２２は、例えば公知のスイッチング方式による降圧用ＤＣ／ＤＣコンバータを用いて構成することが可能である。特に、変換効率を向上するために、同期整流型の降圧用ＤＣ／ＤＣコンバータを用いることも可能である。ＤＣ／ＤＣコンバータ２２の動作は、後述する制御部２５により制御される。
【００２２】
制御部２５は、指示情報取得部１０から伝達される指示情報に基づいてＤＣ／ＤＣコンバータ２２の動作を制御する。具体的には、ＤＣ／ＤＣコンバータ２２が有するスイッチング素子のオンＤＵＴＹを制御して、ＤＣ／ＤＣコンバータ２２の出力電圧が指示情報に基づく電圧値になるようにする。これにより、電源部２０が、指示情報に基づく電圧値の給電電圧を出力することが可能となる。ＤＣ／ＤＣコンバータ２２から出力される出力電圧は、給電電圧検出部２３により検出される。給電電圧検出部２３は、ＤＣ／ＤＣコンバータ２２の出力電圧そのものを測定するように構成しても良いし、ＤＣ／ＤＣコンバータ２２の出力電圧を所定の抵抗値を有する抵抗器で分圧した電圧と所定の基準電圧との大小関係を比較して検出するように構成しても良い。
【００２３】
また、電源部２０は、給電電圧の出力に伴い携帯端末１００に給電する給電電流が予め設定された電流値に達する場合には給電電圧の電圧値を低下させて予め設定された電流値からなる電流を給電電流として出力する。電源装置１が供給可能な電力は、電源装置１毎に予め決定されている。上述したように、電源部２０は、指示情報が無い場合には予め設定された値（例えばＵＳＢ充電の場合には、最初は５Ｖ）からなる直流電圧を出力し、その後に指示情報がある場合には指示情報により規定された給電電圧の指示値からなる直流電圧を出力する。携帯端末１００は、その直流電圧で電源部２０の出力を引き込むことで、電源装置１が出力可能な電流の電流値をＣＣ（定電流）特性により検出し、携帯端末１００が電池１０１を充電する際の充電効率が最適となる様に電源装置１に対して給電電圧の指示値を示す指示情報を継続して出力する。電源部２０は、指示情報取得部１０が携帯端末１００との通信により新たな指示情報を取得するまで、現在の電圧値で給電電圧を出力する。
【００２４】
制御部２５は、指示情報取得部１０が取得した指示情報に基づき、携帯端末１００が指示する電圧値の給電電圧を出力するように、電源部２０を制御する。これにより、電源装置１から携帯端末１００に給電する給電電圧の電圧値を変更することができ、電力供給時の効率を向上することが可能となる。なお、電源装置１が出力可能な電力（所謂、出力容量）は、電源装置１と携帯端末１００とが接続されてから所定時間（例えば、数十ミリ秒）の間に行われるＣＣ特性よる給電時に、携帯端末１００が検出する。これにより、各出力電圧毎に、出力容量（ＣＣ特性）の形で携帯端末１００に検知させることが可能となる。
【００２５】
第１の保護部３０は、携帯端末１００が給電端子１１に接続された後、定電圧出力を経て、定電流垂下特性に入った時点から予め設定された第１の時間が経過する時点までの間において、電源部２０から出力される給電電圧が予め設定された第１の電圧値以下の状態が継続した場合に電源部２０の動作を停止する。「第１の時間」は、上述した携帯端末１００が、電源装置１の出力容量を検出可能な時間より長く、且つ、仮に、携帯端末１００と電源装置１とがハーフショート状態で接続された場合でも発煙や発火が生じない程度の時間で設定すると良い。
【００２６】
第１の保護部３０は、このような第１の時間の間において、電源部２０の出力電圧の電圧値が予め設定された第１の電圧値以下となる状態が継続した場合には、電源部２０の動作を停止させる。「予め設定された第１の電圧値」とは、指示情報が無い場合には予め設定された値（例えばＵＳＢ充電の場合には、５Ｖ）からなる直流電圧の許容範囲を逸脱した値に設定すると良く、指示情報がある場合には指示情報により規定された給電電圧の指示値からなる直流電圧の許容範囲を逸脱した値に設定すると良い。「電源部２０の動作を停止させる」とは、電源部２０が所謂ｈｉｃｃｕｐ状態又はラッチ停止状態になることを意味する。したがって、第１の保護部３０は、第１の時間に亘って電源部２０から出力される電圧が、このような予め設定された第１の電圧値以下の場合には、電源部２０がｈｉｃｃｕｐ状態又はラッチ停止状態になるようにする。
【００２７】
ここで、第１の保護部３０は、上述した第１の時間を計数するタイマ３１を有すると良い。この場合、電源部２０から出力される給電電圧が第１の電圧値以下であって、タイマ３１の計数結果が予め設定された値になった場合に電源部２０の動作を停止するように構成することができる。これにより、携帯端末１００が電源装置１の出力容量を検出しつつ、携帯端末１００と電源装置１とがハーフショート状態で接続された場合でも発煙や発火が生じないように保護することができる。
【００２８】
計数中止部５０は、給電電圧の値が第１の電圧値を超えた場合に、タイマ３１の計数を中止させる。「給電電圧の値が第１の電圧値を超えた場合」とは、電源部２０の出力電圧の電圧値が、指示情報により示される給電電圧の許容範囲内の電圧値である場合をいう。したがって、計数中止部５０は、電源部２０の出力電圧が、指示情報により示される給電電圧の許容範囲内の電圧値である場合に、タイマ３１の計数を中止させる。なお、タイマ３１が計数中止部５０により計数が中止された後は、タイマ３１の計数結果は一旦、リセットし、改めて電源部２０の出力電圧の電圧値が、指示情報により示される給電電圧の許容範囲を逸脱する値になった場合に、改めて計数するように構成すると良い。この状態でも、計数結果が予め設定された値になった場合には、第１の保護部３０が電源部２０の動作を停止するように構成される。なお、タイマ３１が計数を行っている時は、携帯端末１００が電源装置１の出力容量の検出を行った後、電源装置１の給電電圧が所期の電圧値になっていない状態、或いは、電源部２０の出力がフの字特性として動作している状態にあたる。
【００２９】
第２の保護部４０は、電源部２０から出力される給電電圧が所期の電圧値に達した後、給電電圧の電圧値が予め設定された第２の電圧値以下となった場合は予め設定された第２の時間間隔で電源部２０に指示情報に基づく電圧値の給電電圧を出力させる。「電源部２０から出力される給電電圧が所期の電圧値に達した後」とは、携帯端末１００が電源装置１の出力容量の検出を行った後、電源装置１の給電電圧が所定の電圧値の給電電圧を出力している状態をいう。
【００３０】
「予め設定された第２の電圧値」とは、第２の保護部４０が電源部２０に対する保護動作を開始する閾値に相当する。「予め設定された第２の時間間隔」とは、電源装置１から想定外の電流が出力された場合であっても、電源装置１が給電端子１１において発煙や発火をしないエネルギー量となる時間間隔である。具体的には、数ミリ秒の出力状態と数百ミリ秒の休止状態との繰り返しとすると良い。「指示情報に基づく電圧値の給電電圧」とは、直前の指示情報により示される給電電圧である。第２の保護部４０は、上述した時間間隔で電源部２０に対して、直前の指示情報により示される給電電圧を間欠出力させる。図３には、ｈｉｃｃｕｐ動作時の電源部２０から出力される電流の電流波形が示される。図３に示されるように、ｈｉｃｃｕｐ動作時には、数百ミリ秒間隔で数ミリ秒に亘って所定の大きさの電流が出力される。なお、ｈｉｃｃｕｐ動作時にあっては、上述したように電源部２０から直前の指示情報により示される給電電圧が出力されるが、観測される電圧の電圧値は給電端子１１に外部から印加される電圧値によって定まることになる。
【００３１】
上述した指示情報取得部１０は、計数中止部５０によりタイマ３１の計数が中止されている状態やフの字特性により出力している状態においても指示情報を取得可能に構成される。電源部２０は、タイマ３１の計数が中止されている状態やフの字特性により出力している状態において指示情報が取得された場合には、指示情報に基づいて給電電圧の電圧値を変更して出力するように構成すると良い。これにより、電圧値の変更後、所定時間の間、ＣＣ特性により、携帯端末１００が電源装置１の出力容量を計測し、次の切り換え指示を出すことが可能となる。
【００３２】
このように電源装置１を構成することにより、電源装置１の起動時における過渡状態と、起動後の定常状態とにおいて２種類の特性を持たせることができる。具体的には、過渡状態では、第１の保護部３０により数百ミリ秒程度での異常発熱や発煙や発火等を防止し、定常状態では、第２の保護部４０によりショート時の異常発熱や発煙や発火等を防止することができる。また、このような構成とすることにより、電源装置１のフの字特性における定電流特性部分において、携帯端末１００と電源装置１とが通信を行うことが可能となる。
【００３３】
図４には、上述した電源装置１の構成を具体的に示した回路図が示される。図４の例では、ＡＣ／ＤＣコンバータ２１はダイオードブリッジを用いた整流回路が用いられる。また、給電電圧検出部２３は、２つの抵抗器を用いて構成され、ＤＣ／ＤＣコンバータ２２の出力を当該２つの抵抗器で分圧して給電電圧を検出している。ここで、電源部２０から出力される給電電流を一次側で検出する場合には、ＡＣ／ＤＣコンバータ２１の出力電圧を所定の電圧に降下させるために用いられるスイッチング素子のソース電流を検出し、この検出結果に基づき給電電流を演算することが可能である。これにより、１次側で電源装置１の出力容量を検出することが可能となる。もちろん、２次側で検出するように構成することも可能である。
【００３４】
制御部２５は、制御ＩＣが用いられ、図４の例では一次側制御ＩＣ２５Ａと二次側制御ＩＣ２５Ｂとに分けて用いられている。第１の保護部３０は、制御部２５及びコンデンサ（タイマ３１の一例）を用いて構成される。この場合、コンデンサへの充電によりタイマ３１の計数時間が設定されるが、もちろん、制御部２５にタイマ３１を内蔵して構成することも可能であるし、タイマ３１を他の回路構成を用いて構成することも可能である。第２の保護部４０は、二次側制御ＩＣ２５Ｂに組み込まれている。ＤＣ／ＤＣコンバータ２２は、同期整流型のものが示される。なお、同期整流のスイッチングに用いられるスイッチング素子の一方（出力段に設けられるスイッチング素子：Ｐ型ＭＯＳＦＥＴ）の動作を制御して、電源部２０の出力シーケンスの制御を行うことが可能である。なお、第２の保護部４０は、一次側制御ＩＣ２５Ａに組み込むことも可能であるし、出力段に設けられるスイッチング素子はＮ型ＭＯＳＦＥＴを用いることも可能である。
【００３５】
計数中止部５０は、フォトトランジスタとフォトダイオードとを用いて構成されている。フォトダイオードに電流が流れることで、フォトトランジスタを動作させ、第１の保護部３０が有するタイマ３１として用いられるコンデンサの端子間を短絡するように構成されている。これにより、フの字特性への切り替えを行うことが可能となる。指示情報取得部１０は、携帯端末１００と通信可能に端子が設けられている。このような回路構成で電源装置１を構成することが可能であるが、制御部２５は一次側制御ＩＣ２５Ａと二次側制御ＩＣ２５Ｂとに分けずに、１つの制御ＩＣで構成することも可能である。なお、計数中止部５０がタイマ３１として用いられるコンデンサの端子間を短絡する構成は単なる一例であり、他の回路構成とすることも可能である。
【００３６】
〔その他の実施形態〕
上記実施形態では、指示情報取得部１０は、携帯端末１００が給電端子１１に接続された後、携帯端末１００との通信を所定の周期で継続して行うとして説明したが、指示情報取得部１０は、携帯端末１００から指示情報が伝達されてきた時のみ通信を行うように構成することも可能である。
【００３７】
上記実施形態では、指示情報により示される給電電圧の指示値は、携帯端末１００による電池１０１の充電効率に応じて設定されるとして説明したが、指示情報により示される給電電圧の指示値は、電池１０１の寿命に応じて設定することも可能である。
【００３８】
上記実施形態では、電源部２０は、タイマ３１の計数が中止されている状態において指示情報が取得された場合には、指示情報に基づいて給電電圧の電圧値を変更して出力するとして説明したが、電源部２０はタイマ３１の計数が中止された場合には給電電圧の電圧値を変更しないように構成することも可能である。
【００３９】
本発明は、携帯端末に電力供給を行う電源装置に用いることが可能である。
【符号の説明】
【００４０】
１：電源装置
１０：指示情報取得部
１１：給電端子
２０：電源部
３０：第１の保護部
４０：第２の保護部
１００：携帯端末
１０１：電池
【図１】
2018042323.tif 000003
【図２】
2018042323.tif 000004
【図３】
2018042323.tif 000005
【図４】
2018042323.tif 000006
【手続補正書】
【提出日】平成29年3月29日(2017.3.29)
【手続補正１】
【補正対象書類名】特許請求の範囲
【補正対象項目名】全文
【補正方法】変更
【補正の内容】
【特許請求の範囲】
【請求項１】
電池が設けられ、前記電池を充電する携帯端末に、前記電池の充電に用いられる電力を給電する電源装置であって、
前記携帯端末が給電端子に接続された後、前記携帯端末と通信を行って、前記携帯端末に給電する給電電圧の指示値を示す指示情報を取得する指示情報取得部と、
前記指示情報に基づく電圧値の給電電圧を出力する一方、前記給電電圧の出力に伴い前記携帯端末に給電する給電電流が予め設定された電流値に達する場合には前記給電電圧の電圧値を低下させて前記予め設定された電流値からなる電流を前記給電電流として出力する電源部と、
前記携帯端末が前記給電端子に接続されてから予め設定された第１の時間が経過するまでの間、前記電源部から出力される給電電圧が予め設定された第１の電圧値以下の状態が継続した場合に前記電源部の動作を停止する第１の保護部と、
前記第１の時間が経過し、且つ、前記電源部から出力される給電電圧が所期の電圧値に達した後、前記給電電圧の電圧値が予め設定された第２の電圧値以下となった場合は予め設定された第２の時間間隔で前記電源部に前記指示情報に基づく電圧値の給電電圧を出力させる第２の保護部と、
を備える電源装置。
【請求項２】
前記指示情報取得部は、前記携帯端末が前記給電端子に接続された後、前記携帯端末との通信を所定の周期で継続して行い、
前記電源部は、前記通信により新たな指示情報が取得されるまで、現在の電圧値で前記給電電圧を出力する請求項１に記載の電源装置。
【請求項３】
前記指示情報により示される前記給電電圧の指示値は、前記携帯端末による前記電池の充電効率に応じて設定される請求項１又は２に記載の電源装置。
【手続補正２】
【補正対象書類名】明細書
【補正対象項目名】０００８
【補正方法】変更
【補正の内容】
【０００８】
本発明に係る電源装置の特徴構成は、電池が設けられ、前記電池を充電する携帯端末に、前記電池の充電に用いられる電力を給電する電源装置であって、前記携帯端末が給電端子に接続された後、前記携帯端末と通信を行って、前記携帯端末に給電する給電電圧の指示値を示す指示情報を取得する指示情報取得部と、前記指示情報に基づく電圧値の給電電圧を出力する一方、前記給電電圧の出力に伴い前記携帯端末に給電する給電電流が予め設定された電流値に達する場合には前記給電電圧の電圧値を低下させて前記予め設定された電流値からなる電流を前記給電電流として出力する電源部と、前記携帯端末が前記給電端子に接続されてから予め設定された第１の時間が経過するまでの間、前記電源部から出力される給電電圧が予め設定された第１の電圧値以下の状態が継続した場合に前記電源部の動作を停止する第１の保護部と、前記第１の時間が経過し、且つ、前記電源部から出力される給電電圧が所期の電圧値に達した後、前記給電電圧の電圧値が予め設定された第２の電圧値以下となった場合は予め設定された第２の時間間隔で前記電源部に前記指示情報に基づく電圧値の給電電圧を出力させる第２の保護部と、を備えている点にある。